(57)【要約】【課題】身体への密着性が良く、吸収性物品を股間部に充分に押し付けることができ、しかも着衣の外側から目立ちにくい生理用ショーツを提供する。【解決手段】生理用ショーツ１０の本体部１１は、前当て布２１、後当て布２２、クロッチ布２３とから成り、後当て布２２には第１の縁部２２ｂと、その下端から側方へ延びる第２の縁部２２ｃを有している。そして一定の幅寸法のレース網生地の装飾布２５の下縁部２５ｃと上縁部２５ｄが本体部１１に縫合されて固定されている。しかも装飾布２５が本体部１１の外面に縫合されている。よって脚ぐり部１６には装飾布２５が位置して、着衣の外から目立たなくなる。また後ろ当て布２２の第２の縁部２２ｃの部分で生理用ナプキンなどの吸収性物品の後方部分を身体にしっかり押さえつけることができる。【選択図】　　図５
2004016454.tif 000002
【特許請求の範囲】
【請求項１】
布で形成されて腰天と一対の脚ぐり部とを形成する本体部と、前記脚ぐり部の縁に沿って取付けられたレース編生地の装飾布とを有し、脚ぐり部の間に位置するクロッチ部の内面が吸収性物品の取付け部とされている生理用ショーツにおいて、
前記本体部を、前部と後部および腰天の縁が重なるように且つ前方および後方から見たときに左右対称となるよう平坦に折り畳んだ状態で、前部に現れる部分を前身頃、後部に現れる部分を後身頃、前記前身頃と前記後身頃との折り畳み部をクロッチ境界としたときに、
前記後身頃では、前記クロッチ境界から所定距離離れた位置を起点として腰天に向けて、前記本体部の両縁部に前記装飾布が設けられて、前記装飾布は、外縁部が前記股ぐり部に現れ、内縁部が前記本体部の外面に重なるように取付けられており、
前記後身頃では、前記本体部に、前記装飾布の前記内縁部に沿って延びて本体部の幅寸法をクロッチ境界に向けて徐々に狭くする第１の縁部と、前記第１の縁部の下端からクロッチ境界に向かうにしたがって前記装飾布の前記外縁部に向けて延びる第２の縁部とを有していることを特徴とする生理用ショーツ。
【請求項２】
前記後身頃では、前記本体部に、前記クロッチ境界から腰天に向けて延びるクロッチ縁が形成されており、このクロッチ縁と前記装飾布の外縁部とが連続している請求項１記載の生理用ショーツ。
【請求項３】
前記装飾布は、その全長において幅寸法が一定である請求項１または２記載の生理用ショーツ。
【請求項４】
前記本体部での、前記第２の縁部と、前記装飾布の下縁と、前記装飾布の内縁部とで囲まれた領域が、補強部とされている請求項１ないし３のいずれかに記載の生理用ショーツ。
【請求項５】
前記第１の縁部の最下端間の幅寸法が１４０ｍｍ以上である請求項１ないし４のいずれかに記載の生理用ショーツ。
【請求項６】
前記腰天との間隔が最も狭くなる部分を脚ぐり部の上端としたときに、前記装飾布が前記脚ぐり部の上端を覆うとともに、前記装飾布の上縁が腰天の縁部と一致する位置、または腰天の縁部に直近する位置まで延びている請求項１ないし５のいずれかに記載の生理用ショーツ。
【請求項７】
脚ぐり部の前記上端から前記腰天の縁部までの距離Ｌ１が２０ｍｍ以上である請求項６記載の生理用ショーツ。
【発明の詳細な説明】
【０００１】
【発明の属する技術分野】
本発明は、生理用ナプキンなどの吸収性物品をクロッチ部に装着して着用する生理用ショーツに係り、特にファッション性に優れ、また密着した着衣の下に着用したときに後身頃の縁部の形が目立ちにくく、且つクロッチ部に吸収性物品を安定させて保持できる生理用ショーツに関する。
【０００２】
【従来の技術】
生理中の女性が、股間部に吸収性物品を当てた状態で着用する生理用ショーツは、クロッチ部の内面に防水性の生地を設けて経血などがショーツ外面に滲み出ないように対処されている。
【０００３】
この種の生理用ショーツのうち、後身頃の幅寸法が大きく臀部を大きく包み込む形状のものや、いわゆるトランクス形状のものは、生理用ナプキンがショーツによって股間部および臀部にしっかり包み込まれているように感じすることができる、その点で安心感がある。しかしこのような形状のショーツはファッションに気を配る女性には受け入れ難く、また更衣の際などに他人の目に晒されることを考えた場合でもファッション性の低い前記ショーツの着用の着用は好まれない。このような理由から生理中においてもファッション性の高いショーツを着用したいという消費者が増えてきている。
【０００４】
一般に、消費者に好まれるショーツとしては、いわゆるハイレッグ型や、後身頃にレース編生地による装飾布が設けられているものが存在する。ハイレッグ型のものは着用した状態で足を長く見せることができ、また前記装飾布を有するものは、それ自体がファッション性に優れているのみならず、臀部に装飾布が位置することにより、スカートやパンツなどの着衣の外側から見たときにショーツのラインが目立たちにくいものとなる。
【０００５】
図７と図８は、従来使用されているいわゆるハイレッグ型で且つ後身頃にレース編生地の装飾布が設けられた生理用ショーツの一例を、平坦な状態に折り畳んで示すものであり、図７は前身頃を示す正面図、図８は後身頃を示す背面図である。
【０００６】
図７と図８に示す生理用ショーツの本体部は、前当て布１と後当て布２、および前記前当て布１の下縁と後当て布２の下縁とに縫合されている股布３とで構成されて、腰天にウエスト開口部４が形成され、また股布３と前当て布１と後当て布２とで囲まれた一対の脚ぐり部５，５が形成されている。通常は前記前当て布１、後当て布２および股布３が伸縮性を有する素材で形成されており、ウエスト開口部４の周縁には弾性バンド４ａが縫い付けられいる。また、脚ぐり部５，５の周縁において、前記前当て布１と股布３の両側縁部に弾性バンドが縫い付けられている。また、前記股布３の内側には防水性の布が重ねられて縫合され、この部分に吸収性物品が取付けられるようになっている。
【０００７】
前記脚ぐり部５，５の縁部では、図８に示す後身頃から図７に示す前身頃にかけて、主に長手方向に弾性伸縮性を発揮するレース編生地で形成された装飾布６，６が取付けられている。この装飾布６，６は、後身頃において、前記後当て布２の両側縁部２ａ，２ａに縫い合わされている。図７に示すように、前身頃では、装飾布６，６が、後当て布２の両側縁部２ａ，２ａと、前当て布１の両側縁部１ａ，１ａの双方に縫合されており、前記側縁部２ａ，２ａと側縁部１ａ，１ａとの間には、前記装飾布６，６のみが位置している。この装飾布６，６の上端は、前記ウエスト開口部４に設けられた弾性バンド４ａの位置まで延びている。
【０００８】
そして、脚ぐり部５，５は、前当て布１の両側縁部および股布３の両側縁部に設けられた前記弾性バンドの弾性収縮力、および装飾布６，６の弾性収縮力によって身体に密着できるようになっている。
【０００９】
【発明が解決しようとする課題】
図７および図８に示す従来の生理用ショーツでは、後身頃において、後当て布２の両側縁部２ａ，２ａに取付けられた装飾布６，６が股布３側に向けて徐々に小さくなる形状であり、後身頃に現れるレース編生地の前記装飾布６，６がかなり小さいものであり、ファッション性があまり高くない。また装飾布６，６が臀部をしっかりと包む大きさを有していないため、歩行時などに後当て布２の両側縁部がずり上がりを生じやすい。このようなずり上がりが生じると、股布３の内側から後当て布２の内側にかけて設けられている吸収性物品に縒れが発生したり、または吸収性物品が位置ずれしやすくなる。
【００１０】
吸収性物品に縒れが生じたり、位置ずれが発生すると、吸収性物品からの経血などの漏れが生じる心配があり、また吸収性物品が位置ずれし、装飾布６，６の位置に至ったりまたはそこからはみ出したような場合に、薄手や淡い色の着衣またはタイトな着衣の下に着用したときに前記吸収性物品が着衣の外から目立ちやすくなる。したがって、着用者は、前記縒れや位置ずれが生じていないか、または経血などの漏れが生じていないかなどを頻繁に確認しなくてはならなくなる。
【００１１】
また、図７および図８に示す生理用ショーツでは、大きなサイズの吸収性物品を着用しにくく、大きなサイズの吸収性物品を着用すると、その両側部がレース編生地の装飾布６，６の内側にかかることがあり、着衣の外から目立ちやすい。特にロングサイズの生理用ナプキンは、縦方向の長さが２４０〜３４０ｍｍほどで、後方部分の幅寸法が広いところで１４０ｍｍ程度となるものがある。前記ショーツにこのような生理用ナプキンを用いた場合には、特に着衣の外から目立ちやすくなる。
【００１２】
また、図７と図８に示す生理用ショーツにおいて、ファッション性を高め後当て布の両側部が着衣の外から目立たないようにするために、前記装飾布９，９の幅寸法のみを単純に広くしてしまうと、後当て布２の幅寸法がさらに短くなるため、吸収性物品の後方部分がレース編生地の装飾布６，６の内側に位置しやすくなって、後身頃において生理用ナプキンが目立ちやすくなる。
【００１３】
また、前記従来の生理用ショーツは、図７に示すように、レース編生地で形成されている装飾布６の上端部が、前当て布１の両縁部１ａ，１ａと、後当て布２の両縁部２ａ，２ａの間に位置してウエスト開口部４の近くまで延びて、広い範囲で装飾性が加味されている。しかし、図７において（ｉ）で示す部分では、本体部の強度がほぼ弾性バンド４ａのみで保たれている状態である。
【００１４】
この生理用ショーツを着用して、トイレットなどで、吸収性物品を取付け、または吸収性物品を交換する際には、ショーツを膝のあたりまでずり下げて、脚を大きく広げることによってショーツを支え、その状態で吸収性物品を取付けることが必要である。さらにはショーツ前部を腰天の近傍で片手で前方へ引っ張ることで、ウエスト開口部４を大きく広げることも必要である。そのため、ウエスト開口部４は左右両方向に強く引っ張られることになる。前記装飾布６は長手方向に伸縮性を有して大腿部や臀部などに密着しやすくしているため、幅方向への伸縮性は小さいものとなっている。そのため、前記のようにウエスト開口部４を左右両側へ強く引くと、ウエスト開口部４に作用する拡張力が前記（ｉ）の部分での装飾布６，６に集中することになり、よって幅方向に強く引っ張られる前記装飾布６，６に傷みが発生しやすくなる。
【００１５】
本発明は上記従来の課題を解決するものであり、ファッション性を高く維持しながら、しかも吸収性物品を広い範囲でしっかり包み込むことができ、生理時での快適に過ごすことができる生理用ショーツを提供することを目的としている。
【００１６】
【課題を解決するための手段】
本発明は、布で形成されて腰天と一対の脚ぐり部とを形成する本体部と、前記脚ぐり部の縁に沿って取付けられたレース編生地の装飾布とを有し、脚ぐり部の間に位置するクロッチ部の内面が吸収性物品の取付け部とされている生理用ショーツにおいて、
前記本体部を、前部と後部および腰天の縁が重なるように且つ前方および後方から見たときに左右対称となるよう平坦に折り畳んだ状態で、前部に現れる部分を前身頃、後部に現れる部分を後身頃、前記前身頃と前記後身頃との折り畳み部をクロッチ境界としたときに、
前記後身頃では、前記クロッチ境界から所定距離離れた位置を起点として腰天に向けて、前記本体部の両縁部に前記装飾布が設けられて、前記装飾布は、外縁部が前記股ぐり部に現れ、内縁部が前記本体部の外面に重なるように取付けられており、
前記後身頃では、前記本体部に、前記装飾布の前記内縁部に沿って延びて本体部の幅寸法をクロッチ境界に向けて徐々に狭くする第１の縁部と、前記第１の縁部の下端からクロッチ境界に向かうにしたがって前記装飾布の前記外縁部に向けて延びる第２の縁部とを有していることを特徴とするものである。
【００１７】
この生理用ショーツは、後身頃に幅広の装飾布が設けられるため、全体としてファッション性に優れ、タイトな着衣の下に着用したときなどに、ショーツのラインが着衣の外側から目立ちにくくなる。また、後身頃において、レース編生地の装飾布を幅広のものとしているため、装飾布で臀部をしっかり覆うことができるようになり、ずり上がりが生じにくくなって、吸収性物品の縒れや位置ずれが発生しにくい。また、本体部は前記第２の縁部が幅広となって股下につながるため、吸収性物品の後部を本体部によって確実に覆うことができ、大きなサイズの生理用ナプキンでもしっかり保持でき、幅広の生理用ナプキンであっても安心して使用することができる。
【００１８】
例えば、前記後身頃では、前記本体部に、前記クロッチ境界から腰天に向けて延びるクロッチ縁が形成されており、このクロッチ縁と前記装飾布の外縁部とが連続しているものが好ましい。
【００１９】
この構造では、装飾布を幅広のものとしても、本体のクロッチ縁と装飾布の外縁部とが連続するため、この連続線を臀部にしっかり密着させることができ、歩行時などでのずれ上がりを防止しやすい。
【００２０】
また、前記装飾布は、その全長において幅寸法が一定であると、ファッション性に優れ、着衣の外からショーツのラインを目立たなくすることができ、しかも臀部をしっかり保持できるようになる。
【００２１】
また、前記本体部での、前記第２の縁部と、前記装飾布の下縁と、前記装飾布の内縁部とで囲まれた領域が、補強部とされ、この本体部に形成された補強部で吸収性物品の後部を身体へしっかり押さえ付けることができ、またこの部分が存在しているために、吸収性物品が側方へはみ出にくくなる。
【００２２】
吸収性物品の後部、特にロングサイズの吸収性物品の後部をしっかり押さえることができ、吸収性物品が脚ぐり部にはみ出るのを防止するためには、前記第１の縁部の最下端間の幅寸法が１４０ｍｍ以上である。またその上限は特に規定されないが、２００ｍｍ以下であることが好ましい。
【００２３】
さらに、前記腰天との間隔が最も狭くなる部分を脚ぐり部の上端としたときに、前記装飾布が前記脚ぐり部の上端を覆うとともに、前記装飾布の上縁が腰天の縁部と一致する位置、または腰天の縁部に直近する位置まで延びているものとすることができる。
【００２４】
このように構成すると、腰天回りに所定幅の本体部が位置するため、この部分に大きな拡張力が作用したときに、レース編生地の装飾布に拡張力が集中するのを防止でき、装飾布が痛むことがなくなる。
【００２５】
そのためには、脚ぐり部の前記上端から前記腰天の縁部までの距離Ｌ１が２０ｍｍ以上であることが好ましい。
【００２６】
【発明の実施の形態】
図１は本発明の実施の形態の生理用ショーツ１０を前部と後部とが接し、腰天の縁部が全周にわたって一致するように重ね、しかも上下方向に延びる中心線Ｏ−Ｏに対して左右対称となるように折り畳んだ状態を示す正面図、図２は前記のように折り畳んだ生理用ショーツの背面図である。図３と図４は、前記生理用ショーツ１０から装飾布を除去した本体部１１を折り畳んだ状態で示す正面図と背面図である。図５は生理用ショーツ１０を立体形状とした状態を斜め後方から示す部分斜視図である。図６は装飾布のレース編生地の一例を示す部分拡大図である。
【００２７】
なお、図１ないし図４では、構造の説明の都合上、腰天において前部の縁部を後部の縁部よりも下側へ少しだけずらして図示しているが、実際の各部分の場所の定義に関しては、前記腰天において前部の縁部と後部の縁部が完全に一致していることを前提とする。
【００２８】
そして、このような前提のもとに、図１において手前側に位置している各部分を生理用ショーツ１０の前身頃とし、図２に現れている部分を生理用ショーツ１０の後身頃とする。また図３において手前側に位置している各部分を本体部１１における前身頃とし、図４に現れている部分を本体部１１における後身頃と定義する。
【００２９】
また、クロッチ側における前身頃と後身頃の折り畳み境界をクロッチ境界１２とする。なお、人体の下半身は臀部方向に広がりを有する形状であるため、この生理用ショーツ１０を身体に着用した場合、前記クロッチ境界１２は身体の股間部においてその前後方向の中心部よりもやや臀部側に位置し、前記股間部の前後方向の中心部には、クロッチ縫合線１３がほぼ位置するようになる。
【００３０】
図１と図２に示す生理用ショーツ１０は、腰天１４にウエスト開口部１５が開口し、クロッチ部の両側に一対の脚ぐり部１６，１６が腰天１４に向けて斜めに延びるように開口した、いわゆるハイレッグ形状である。
【００３１】
図３と図４に示すように、本体部１１は、前当て布２１、後当て布２２およびクロッチ布２３を有している。
【００３２】
前記前当て布２１は、腰天１４に位置する腰天縁２１ａ、前身頃において後当て布２２の両側部２２Ｄ，２２Ｄと縫合される縫合縁２１ｂ，２１ｂを有している。縫合縁２１ｂ，２１ｂは、腰天１４からクロッチ境界１２に向けて、その対向間隔が徐々に広がるように、それぞれがほぼ直線形状に形成されている。
【００３３】
前当て布２１は、脚ぐり部１６に現れる脚ぐり縁２１ｃ，２１ｃを有しており、脚ぐり縁２１ｃ，２１ｃは、クロッチ境界１２に向かうにしたがってその対向間隔が徐々に狭くなるように、それぞれが直線形状または中心線Ｏ−Ｏに向けて凸状となるように湾曲して形成されている。また前当て布２１の下縁は、クロッチ布２３と縫合される縫合縁２１ｄとなっている。
【００３４】
図４に示すように、後身頃では本体部１１の後当て布２２が現れている。この後当て布２２は、中心線Ｏ−Ｏの部分で左右に分割された対称形状の半布２２Ａと半布２２Ｂとが、中心線Ｏ−Ｏの位置で縫合線３１で互いに縫合されたものである。しかし、以下においては、後当て布２２を１つの部材として説明する。
【００３５】
前記後当て布２２は、腰天１４に現れる腰天縁２２ａを有している。後当て布２２の左右両側部には、後に説明する装飾布２５，２５によって外側から覆われる第１の縁部２２ｂ，２２ｂと、この第１の縁部２２ｂ，２２ｂの下端の境界点２２ｅ，２２ｅからクロッチ境界１２に向けて延びる第２の縁部２２ｃ，２２ｃを有している。図３に示すように、前記後当て布２２の両側部２２Ｄ，２２Ｄは、折り曲げ境界点２２ｆ，２２ｆの位置で前身頃に向けて折り畳まれている。前身頃に現れている前記両側部２２Ｄ，２２Ｄには、前記折り曲げ境界点２２ｆ，２２ｆにおいて前記第１の縁部２２ｂ，２２ｂと連続する第３の縁部２２ｄ，２２ｄが形成されている。
【００３６】
図４に示すように、前記第１の縁部２２ｂ，２２ｂは後身頃に現れて、前記境界点２２ｆ，２２ｆを起点とし、クロッチ境界１２に向けてその対向間隔が徐々に狭くなるように、それぞれがほぼ直線形状に形成され、または中心線Ｏ−Ｏに向けて凸状となるように湾曲して形成されている。前記第２の縁部２２ｃ，２２ｃは、前記境界点２２ｅ，２２ｅを起点として、クロッチ境界１２に向けて、その対向間隔がわずかに徐々に狭くなるように、それぞれがほぼ直線形状に形成されている。
【００３７】
図３に示すように、前記第３の縁部２２ｄ，２２ｄは、前記境界点２２ｆ，２２ｆを起点として、腰天１４に向けてやや凸状となるように湾曲して、中心線Ｏ−Ｏに向けて延びている。なお、図３では、第３の縁部２３ｄ，２３ｄを有する後当て部２２の両端部２２Ｄ，２２Ｄを展開した状態で一点鎖線にて示している。
【００３８】
図３に示すように、両端部２２Ｄ，２２Ｄの端部には、前身頃に位置する縫合縁２２ｇ，２２ｇが形成されている。前身頃では、前記縫合縁２２ｇ，２２ｇが、腰天１４から脚ぐり部１６，１６に向けてその対向間隔が徐々に広くなるようにそれぞれが直線形状に形成されている。そして、前記前当て布２１の前記縫合縁２１ｂ，２１ｂと、前記後当て布２２の縫合縁２２ｇ，２２ｇとが、前身頃において縫合線３２，３２で互いに縫合されている。
【００３９】
図４に示す後身頃では、前記後当て布２２の下縁に、腰天１４に向けて凸湾曲形状となった縫合縁２２ｈが形成されている。
【００４０】
前記前当て布２１の下縁と、後当て布２２の下縁との間には、クロッチ布２３が位置している。図３に示すように、クロッチ布２３は、前半布２３Ａと後半布２３Ｂとが前記クロッチ縫合線１３で縫合されたものであり、図１と図３に示す折り畳み状態で、前記クロッチ縫合線１３が前身頃に位置している。前記クロッチ布２３の内面には防水処理された防水布２４が重ねられている。ただし、以下においては、前半布２３Ａと後半布２３Ｂおよび防水布２４とから成るものを１つのクロッチ布２３として説明する。
【００４１】
前記クロッチ布２３は、脚ぐり部１６，１６に現れるクロッチ縁２３ａ，２３ａを有している。前身頃には、クロッチ布２３の縫合縁２３ｂが現れており、前記前当て布２１の縫合縁２１ｄと、クロッチ布２３の縫合縁２３ｂとが縫合線３３において互いに縫合されている。後身頃には、クロッチ布２３の縫合縁２３ｃが位置しており、前記後当て布２２の縫合縁２２ｈと、クロッチ布２３の縫合縁２３ｃとが縫合線３４において縫合されている。
【００４２】
クロッチ布２３の形状は、前身頃において縫合縁２３ｂでの幅寸法が、前当て布２１の縫合縁２１ｄの幅寸法と一致しており、前当て布２１の脚ぐり縁２１ｃ，２１ｃと、クロッチ布２３のクロッチ縁２３ａ，２３ａとが連続線を成し、この連続線は、腰天１４側からクロッチ縫合線１３に向けて、その幅寸法が徐々に狭くなるように形成されている。または、縫合線３３とクロッチ縫合線１３との間の領域で、クロッチ縁２３ａとクロッチ縁２３ａとの対向間隔がほぼ一定あってもよい。
【００４３】
後身頃においては、クロッチ布２３の縫合縁２３ｃでの幅寸法と、後当て布２２の縫合縁２２ｈでの幅寸法が一致している。図２ではこの幅寸法の半幅寸法をＷ１で示している。そして、前記クロッチ縫合線１３から縫合線３４に向けて、前記クロッチ縁２３ａとクロッチ縁２３ａとの対向間隔が徐々に広がるようになっている。
【００４４】
前記本体部１１を構成している前当て布２１と後当て布２２は、弾性伸縮性を有する生地で形成されており、その生地は、例えば、弾性伸縮性を有するポリウレタン繊維の糸を１０質量％、肌にやさしい繊維であるナイロン繊維の糸を６６質量％、綿糸を２４質量％でトリコットハーフ編みされた織布である。クロッチ布２３の内布である防水布２４は、防水性で且つ通気性であり、好ましくは、弾性伸縮自在な素材で形成されている。例えば、ポリエステル繊維の糸で鹿の子のニット編みとされた生地に透湿性フィルムがラミネートされたものである。
【００４５】
図１と図２に示すように、前記後当て布２２の第１の縁部２２ｂ，２２ｂ、第２の縁部２２ｃ，２２ｃおよび第３の縁部２２ｄ，２２ｄの外面には装飾布２５，２５が取付けられている。装飾布２５，２５は、外縁部２５ａと内縁部２５ｂとの幅寸法が一定に形成されたものであり、外縁部２５ａが脚ぐり部１６，１６に現れ、内縁部２５ｂが前記後当て布２２の外面に当てられて前記後当て布２２と縫合されている。
【００４６】
図６に示すように、この装飾布２５，２５はレース編生地であり、外縁部２５ａと内縁部２５ｂには細かなフリル２５Ａが形成されている。またレース状の透かし目２５Ｂと、密な編部２５Ｄとが点在し、密な編部２５Ｄによって模様が描かれている。このレース編生地は、前記本体部１１を構成する生地よりも充分に薄く、またポリウレタン繊維の糸を含むなどして、それ自体が、主に長手方向に沿って弾性伸縮自在となっており、幅方向への伸縮性は前記長手方向に比べて低くなっている。
【００４７】
図２に示す後身頃では、装飾布２５，２５の下縁部２５ｃ，２５ｃが、前記後当て布２２とクロッチ布２３とを縫合している前記縫合線３４において、クロッチ布２３の外面に縫合されて固定されている。また、後身頃では、装飾布２５，２５の内縁部２５ｂ，２５ｂが、全長にわたって、縫合線３５，３５により、後当て布２２の外面に固定されている。また、後当て布２２の第２の縁部２２ｃ、２２ｃのすぐ内側において、縫合線３６，３６によって、装飾布２５，２５が後当て布２２の外面に固定されている。
【００４８】
図１に示す前身頃では、前記装飾布２５，２５が、後当て布２２，２２の第３の縁部２２ｄ，２２ｄを横切って、装飾布２５，２５の上縁部２５ｄ，２５ｄが、腰天１４のウエスト開口部１５の縁部に一致する位置に延びている。そして、後当て布２５，２５の第３の縁部２２ｄ，２２ｄの内側に沿って形成された縫合線３７，３７によって、装飾布２５，２５が後当て布２５，２５の外面に固定されている。
【００４９】
また、前身頃では、前記前当て布２１と後当て布２２とを縫合している縫合線３２において、装飾布２５，２５の外縁部２５ａ，２５ａが本体部１１の外面に固定されている。また、図１に現れている前身頃において、装飾布２５，２５の内縁部２５ｂ，２５ｂに沿う縫合線３８，３８において、装飾布２５，２５が後当て布２２，２２の両側部２２Ｄ，２２Ｄの外面に取付けられている。なお、この縫合線３８，３８と、前記縫合線３５，３５は、装飾布２５，２５の内縁部２５ｂに沿って連続線となっている。
【００５０】
前記ウエスト開口部１５の周縁部には全周にわたって弾性バンド４１が取付けられている。この弾性バンド４１はウエスト開口部１５の周縁部において、所定の比率で伸ばされた状態で、前当て布２１と後当て布２２に縫合されているが、この縫合線において、前記装飾布２５，２５の上縁部２５ｄ，２５ｄが、後当て布２５，２５の両側部２２Ｄ，２２Ｄに固定されている。
【００５１】
このように、前記装飾布２５，２５は、外縁部２５ａ，２５ａが脚ぐり部１６，１６内に現れており、内縁部２５ｂ，２５ｂと下縁部２５ｃ，２５ｃと上縁部２５ｄ，２５ｄが、それぞれの縁部の全長にわたって後当て部２２に縫合されている。また、装飾布２５，２５は、後当て部２２の第１の縁部２２ｂ，２２ｂ、第２の縁部２２ｃ，２２ｃおよび第３の縁部２２ｄ，２２ｄに沿って縫合されている。
【００５２】
図１、図２および図５に示すように、前記装飾布２５，２５の外縁部２５ａ，２５ａと、クロッチ布２３のクロッチ縁２３ａ，２３ａとが連続線上に位置するとともに、前記外縁部２５ａ，２５ａは、前記縫合線３２によって、前当て布２１と後当て布２２との縫合境界部に固定されている。したがって、脚ぐり部１６，１６の実質的な輪郭は、前当て布２１の脚ぐり縁２１ｃ，２１ｃ、クロッチ布２３，２３のクロッチ縁２３ａ，２３ａ、および装飾布２５，２５の外縁部２５ａ，２５ａによって形成されていることになる。
【００５３】
また、図５に示すように、生理用ショーツ１０を身体に着用した立体形状としたときに、前当て布２１と後当て布２２とを縫合している縫合線３２の下端の部分が、本体部１１で脚ぐり部１６，１６の上端１６Ａ，１６Ａとなり、この上端１６Ａ，１６Ａで、本体部１１での脚ぐり部１６，１６の周縁と腰天１４の縁部との対向距離が最も小さいＬ１となる。
【００５４】
また、図１および図３に示すように、前記本体部１１では、クロッチ布２３のクロッチ縁２３ａ，２３ａから、前当て布２１の脚ぐり縁２１ｃ，２１ｃに沿って弾性バンド４２，４２が所定の比率に伸ばされた状態で縫合されている。この弾性バンド４２，４２の一方の端部４２ａ，４２ａは、後当て布２２とクロッチ布２３とを縫合している縫合線３４の位置で止まっており、弾性バンド４２，４２の他端４２ｂ，４２ｂは、前当て布２１と後ろ当て布２２との縫合線３２，３２の位置で止まっている。したがって、この生理用ショーツ１０の脚ぐり部１６，１６では、前当て布２１からクロッチ布２３にかけては前記弾性バンド４２，４２が身体への締め付け力を発揮し、後当て布２２の部分では、長手方向に弾性伸縮性を有する装飾布２５，２５が身体への締め付け力を発揮する。
【００５５】
そして、図１と図２において、後当て布２２の第２の縁部２２ｃ，２２ｃと、装飾布２５，２５の下縁部２５ｃ，２５ｃと、装飾布２５，２５の内縁部２５ｂ、２５ｂとで囲まれるほぼ三角形の領域において、本体部１１を構成する生地が前記装飾布２５，２５の内側に位置し、この部分の前記生地が補強部４５，４５となっている。また、後当て布２２の第３の縁部２２ｄ，２２ｄと、装飾布２５，２５の外縁部２５ａ，２５ａと、内縁部２５ｂ，２５ｂ、および上縁部２５ｄ，２５ｄで囲まれるほぼ菱形形状または平行四辺形の領域では、前記装飾布２５，２５の内側に本体部１１を構成する生地が存在しており、この部分の生地が補強部４６，４６となっている。
【００５６】
また、後当て布２２およびクロッチ布２３の後半布２３Ｂには、前記中心線Ｏ−Ｏに沿って吊り上げ用の弾性バンド４３が取付けられている。弾性バンド４３の上端４３ａはウエスト開口部１５の縁に位置し、下端４３ｂは、クロッチ縫合線１３の位置にある。この弾性バンド４３は、所定の比率で伸ばされた状態で、前記後当て布２２およびクロッチ布２３に縫合されている。
【００５７】
この生理用ショーツ１０は、クロッチ布２３の内面に生理用ナプキンなどの吸収性物品を装着して着用する。一般の生理用ナプキンとして使用される吸収性物品は、裏面シートの外面に感圧接着剤層が設けられており、この感圧接着剤層を介して吸収性物品がクロッチ布２３の内面に固定される。また吸収性物品の両側縁部からウイング部が突出しているものでは、このウイング部が、クロッチ布２３の両側縁部で折り畳まれ、ウイング部の裏面に設けられた感圧接着剤層によって、ウイング部がクロッチ布２３の外面に接着され、これにより吸収性物品が動かないように固定される。
【００５８】
生理用ショーツ１０を身体に着用すると、脚ぐり部１６，１６が、大腿部から下腹部および臀部の下方部分の周囲に密着する。前記脚ぐり部１６，１６の周囲では、前当て布２１とクロッチ布２３の縁に設けられた弾性バンド４２，４２が弾性収縮力を発揮し、また後身頃では、装飾布２５，２５の弾性伸縮力によって締め付け力が発揮される。また、前当て布２１、後当て布２２およびクロッチ布２３も着用状態で伸ばされるため、その弾性収縮力によって生理用ショーツ１０の全体が身体に密着できるようになる。
【００５９】
これら締め付け力によって、クロッチ布２３の内側に固定された吸収性物品が股間部に押し付けられる。さらに、クロッチ布２３の後半布２３Ｂから後当て布２２にかけて弾性バンド４３が設けられているため、前記後半布２３Ｂの中心が弾性力で吊り上げられ、吸収性物品の後方部分の中央部が股間部から臀部の溝にかけてしっかり身体に押し付けられる。
【００６０】
前記装飾布２５，２５は、一定の幅寸法で、接合線３４から腰天１４の周縁部にかけて取付けられているため、この装飾布２５，２５が股間部の後方部分からから臀部さらにウエストにかけて、一定の幅寸法で身体への押し付け力を発揮できる。
【００６１】
ここで、図７と図８に示す従来例では、後身頃においてクロッチ部に向けて装飾布６，６の幅寸法が徐々に小さくなる形状であるため、この装飾布６，６を長手方向に伸ばしたときに生じる弾性収縮力がさほど大きくならず、特に幅寸法が細くなっている部分では、弾性収縮力が極めて弱くなっている。したがって、後身頃において装飾布６，６が身体に充分に締め付け力を与えることができない欠点があった。
【００６２】
これに対し、前記実施の形態の生理用ショーツ１０では、装飾布２５，２５が、その全長にわたって一定の幅寸法であり、その下縁部２５ｃ，２５ｃの全長が本体部１１に固定され、上縁部２５ｄ，２５ｄも腰天１４において本体部に固定されている。そのため、装飾布２５，２５が伸ばされたときに、その全長にわたって大きな弾性収縮力を発揮でき、股間部の後方部分から臀部にかけて装飾布２５，２５がしっかりとした締め付け力を発揮して身体に密着する。したがって、歩行中に装飾布２５，２５が臀部の膨らみに沿って斜め上方へずれ上がる現象が生じにくくなる。
【００６３】
後身頃においてずれ上がりを防止することができるため、着用時に臀部に違和感を生じることがなく、またタイトな着衣の下に着用したときでも、ショーツのラインがずれ上がりにより目立つことを防止できる。またずれ上がりを防止できるために、吸収性物品に縒れや位置ずれが発生するのを防止でき、吸収性物品と女性の局部との密着を常に維持でき、吸収性物品からの経血などの漏れを防止しやすい。また、ずれ上がりによって吸収性物品の後方部分の両側部がショーツからはみ出して着衣の外から目立つようなこともない。
【００６４】
また、装飾布２５，２５は一定の幅で長い範囲に渡って延び、後当て布２２の第１の縁部２２ｂ，２２ｂ、第２の縁部２２ｃ，２２ｃおよび第３の縁部２２ｄ，２２ｄは、装飾布２５，２５の内側に位置している。よって、ファッション性に優れるとともに、タイトなスカートやパンツなどの着衣の下に着用したときに、生理用ショーツ１０の縁部の形状が臀部において外観的に目立たなくなる。
【００６５】
しかも、後当て布２２の第１の縁部２２ｂ，２２ｂおよび第３の縁部２２ｄ，２２ｄから脚ぐり部１６，１６内に、装飾布２５，２５が広い幅で突出している。そのため、脚の動きにより大腿部が動いたときに、装飾布２５，２５が自由に変形でき、脚の動きに対して、臀部への締め付け力を過大に感じることがない。
【００６６】
そして、臀部の下方部分においては、ほぼ三角形状の生地が補強部４５，４５となって装飾布２５，２５の内側に存在しているため、臀部の下方において、本体部１１を構成している伸縮性の生地が広い範囲において身体に密着していることになる。したがって、クロッチ布２３の内側に設置された吸収性物品の後方部分が、しっかり股間部から臀部の下方にかけて押さえられるようになり、歩行時などのように脚を動かしたときでも吸収性物品の後方部分が身体から浮き上がったり位置ずれすることが少なくなる。
【００６７】
特に、縦方向の長さが２４０〜３４０ｍｍ、さらには３８０ｍｍのものもあるロングサイズの生理用ナプキンのような吸収性物品をクロッチ布２３に装着し、吸収性物品の後方部分が臀部の下方に当てられるたときにも、この後方部分をしっかりと身体に押し付けることができる。また前記ロングサイズの吸収性物品は、通常後方部分の幅寸法が広がっており最大で幅寸法が１４０ｍｍ程度のものがあるが、この広がり部分も前記補強部４５，４５の締め付け力により臀部の下方部分にしっかりと押さえ付けられる。
【００６８】
また、吸収性物品の後方部分の幅寸法が大きい場合であっても、前記補強部４５，４５が存在しているために、吸収性物品の後方部分の両側部が装飾布２５，２５の部分にはみ出ることがない。よって、吸収性物品に付着している経血などが装飾布２５，２５に付着したり、さらには着衣に付着するのを防止できる。
【００６９】
また、脚ぐり部１６，１６の上方においても、装飾布２５，２５の上縁部２５ｄ，２５ｄから下方への所定の幅において、その内側に後当て布２２の両側部２２Ｄ，２２Ｄを構成する生地が位置して補強部４６，４６が形成されている。
【００７０】
生理用ショーツ１０を着用した状態で、吸収性物品を取付け、または交換する際には、ウエスト開口部１５を膝の付近まで下げ、さらに脚を大きく広げることによりショーツを支えることが必要であり、さらにはショーツの腰天を片手で前方に引っ張ってウエスト開口部を前方にも広く広げることが必要である。そのため、ウエスト開口部１５に左右方向へ大きな拡張力が与えられる。従来技術において説明したように、ウエスト開口部１５が左右に大きく広げられることにより、幅方向への伸縮性の低い装飾布２５，２５に直接にこの力が作用すると、レース編生地の装飾布２５，２５を損傷しかねない。
【００７１】
しかし、装飾布２５，２５の上方部分においては、その内側が本体部１１の生地による補強部４６，４６で補強されているため、装飾布２５，２５に集中する力を本体部の生地で受け止めることができ、装飾布２５，２５を痛めることが少ない。
【００７２】
前記のように、前記補強部４５，４５によって吸収性物品の後方部分をしっかりと身体に押し付けることができ、また吸収性物品の後方部分の両側部が装飾布２５，２５の部分、さらには脚ぐり部１６，１６にはみ出さないためには、吸収性物品の幅寸法が１４０ｍｍのものが存在していることから、後当て布２２の第１の縁部２２ｂ，２２ｂの下縁部での境界点２２ｅ，２２ｅ間の幅寸法Ｗ１は１４０ｍｍ以上であることが好ましい。また最大幅は２００ｍｍ程度が好ましい。なお、第２の縁部２２ｃ，２２ｃの下縁間においてもその幅寸法は、前記Ｗ１と同じであることが好ましい。
【００７３】
なお、クロッチ境界１３でのクロッチ布２３の全幅寸法Ｗ２は、吸収背物品の幅寸法よりもやや大きい程度が好ましく、一般的な吸収性物品の幅寸法を考慮すると、前記全幅寸法Ｗ２は５０〜９０ｍｍ程度である。
【００７４】
また、装飾布２５，２５の幅寸法Ｗ３（図２参照）は、３０ｍｍ以上であることが好ましい。前記寸法以上であれば、装飾布２５，２５によって臀部をしっかりと締め付けることができ、また肌への感触も良好である。またＷ３の上限は、脚ぐり部１６，１６内での脚の動きの自由度を確保できるために８０ｍｍ程度が好ましい。さらに、図１に示すように、第１の縁部２２ｂからの装飾布２５，２５の突出幅寸法Ｗ４は、前記幅寸法Ｗ３の８０％以上であることが好ましい。
【００７５】
次に、図５に示す、脚ぐり部１６の上端１６Ａから腰天１４の縁部までの距離Ｌ１は２０ｍｍ以上であることが好ましく、さらに好ましくは、装飾布２５の幅寸法Ｗ３以上である。またその上限は、前記幅寸法Ｗ２の２倍程度である。
【００７６】
【発明の効果】
以上のように本発明の生理用ショーツでは、ファッション性を高く、着衣の外から目立つことがなく、しかも吸収性物品を広い範囲でしっかり包み込むことができて、吸収性物品に縒れや位置ずれが生じ難く、生理時での快適に過ごすことができるものとなる。
【図面の簡単な説明】
【図１】本発明の第１の実施の形態の生理用ショーツを二つ折りにした状態を示す正面図、
【図２】生理用ショーツを二つ折りにした状態を示す背面図、
【図３】前記生理用ショーツの本体部を二つ折りにした状態を示す正面図、
【図４】前記生理用ショーツの本体部を二つ折りにした状態を示す背面図、
【図５】前記生理用ショーツを立体形状とした状態を斜め後方から示す部分斜視図、
【図６】装飾布の具体的構造を示す部分拡大図、
【図７】従来の生理用ショーツを二つ折りにした状態を示す正面図、
【図８】従来の生理用ショーツを二つ折りにした状態を示す背面図、
【符号の説明】
１０　生理用ショーツ
１１　本体部
１２　クロッチ境界
１４　腰天
１５　ウエスト開口部
１６　脚ぐり部
２１　前当て布
２１ｃ　脚ぐり縁
２２　後当て布
２２ｂ　第１の縁部
２２ｃ　第２の縁部
２２ｄ　第３の縁部
２３　クロッチ布
２３ａ　クロッチ縁
２５　装飾布
２５ａ　外縁部
２５ｂ　内縁部
２５ｃ　下縁部
２５ｄ　上縁部
【図１】
2004016454.tif 000003
【図２】
2004016454.tif 000004
【図３】
2004016454.tif 000005
【図４】
2004016454.tif 000006
【図５】
2004016454.tif 000007
【図６】
2004016454.tif 000008
【図７】
2004016454.tif 000009
【図８】
2004016454.tif 000010